(57)【要約】      （修正有）【課題】  カートリッジとディスクを選択的に載置可能なトレイ方式において、搬送中のディスクをトレイ上に確実に位置決めする。【解決手段】  トレイ１０を移動可能に支持するトレイガイド９と、トレイガイド９を本体装置に対して前後方向へ移動させる第１の駆動手段と、トレイガイド９の移動に伴ってトレイ１０をトレイガイド９に対して相対的に移動させる第２の駆動手段と、トレイ１０の後端側の非載置領域１０ｅ内に配置されたディスク押さえ部材１９とを備え、トレイ１０が引き出し位置と引き込み位置との間を移動する搬送途中で、ディスク押さえ部材１９の駆動ピン１９ｂをトレイガイド９のカム面２２に沿って摺動させることにより、ディスク押さえ部材１９をトレイ１０の中心方向へ回転させてディスクＤの浮き上がりを防止し、引き込み位置まで搬送された時点でディスク押さえ部材１９を逆向きに回転させて非載置領域１０ｅ内に収納する。【選択図】  図８
2006318566.tif 000002
【特許請求の範囲】
【請求項１】
ディスク状記録媒体をケース内に収納したカートリッジとケースに収納されていないディスクとがトレイ上に選択的に載置可能であって、このトレイを引き出し位置と引き込み位置との間で前後方向に搬送することにより、該トレイが本体装置に対して出入可能となっているディスク装置において、
前記トレイに前記ディスクが載置されるディスク載置領域に対して出入可能なディスク押さえ部材を設け、前記トレイが引き出し位置と引き込み位置との間を移動する搬送途中で、該トレイの移動に伴って前記ディスク押さえ部材を前記ディスク載置領域の外側から内側へ移動させるように構成したことを特徴とするディスク装置。
【請求項２】
請求項１の記載において、前記ディスク押さえ部材を前記トレイに回動可能に支持し、このディスク押さえ部材の回動支点を前記カートリッジが載置されるカートリッジ載置領域の外側に設定したことを特徴とするディスク装置。
【請求項３】
請求項２の記載において、前記ディスク押さえ部材を前記トレイに昇降可能に支持し、このディスク押さえ部材が前記ディスク載置領域の外側から内側へ回動するとき、該ディスク押さえ部材を下降動作させて前記ディスクの上面に接近させ、または当接させるように構成したことを特徴とするディスク装置。
【請求項４】
請求項３の記載において、前記トレイに前記ディスク押さえ部材の回動方向に沿って傾斜するガイド面を形成し、前記ディスク押さえ部材が前記ガイド面上を摺動することにより、該ディスク押さえ部材が回動に伴って昇降動作するようにしたことを特徴とするディスク装置。
【請求項５】
請求項１の記載において、前記ディスク押さえ部材を前記ディスク載置領域の内側方向へ弾性付勢すると共に、このディスク押さえ部材に前記トレイの上面に対して傾斜する規制部を形成し、前記トレイに前記カートリッジが載置されているとき、該トレイの搬送途中で前記規制部を前記カートリッジの後端上縁部に当接させるようにしたことを特徴とするディスク装置。
【請求項６】
請求項１の記載において、前記トレイを移動可能に支持するトレイガイドと、このトレイガイドを前記本体装置に対して前後方向へ移動させる第１の駆動手段と、前記トレイガイドの移動に伴って前記トレイを該トレイガイドに対して相対的に移動させる第２の駆動手段とを備え、前記ディスク押さえ部材を前記トレイに回動可能に支持すると共に、前記トレイガイドに前記ディスク押さえ部材の回動を制御する制御部を設けたことを特徴とするディスク装置。
【請求項７】
請求項６の記載において、前記制御部が前後方向へ延びる直線部の両端に傾斜部を有するカム面であり、前記ディスク押さえ部材に形成した駆動部をばね部材の弾発力によって前記カム面に係合させたことを特徴とするディスク装置。
【発明の詳細な説明】
【技術分野】
【０００１】
本発明は、本体装置に対して出入可能なトレイを引き出し位置と引き込み位置との間で自動搬送するディスク装置に係り、特に、トレイ上にディスク状記録媒体をケース内に収納したカートリッジとケースに収納されていないディスクとを選択的に載置可能なディスク装置に関するものである。
【背景技術】
【０００２】
ディスク装置に装填されるディスク状記録媒体が大容量ＤＶＤのように高密度記録を行う光ディスクである場合、光ディスクが塵埃等によって汚損されるのを防止するために、光ディスクをケース内に収納したカートリッジが使用されるようになっている。通常、カートリッジのケースには開口が形成されると共に、この開口を開閉可能なシャッタが付設されており、不使用時は開口をシャッタで閉じて内部の光ディスクを塵埃等から保護し、使用時はシャッタを開放して開口から光ディスクを露出させることにより、開口を介して内部の光ディスクに情報を記録および／または再生するようになっている。
【０００３】
従来より、かかるカートリッジとＣＤ等のディスクとを共通のトレイ上に選択的に載置し、このトレイを本体装置内の記録再生位置へ移動させることにより、トレイ上に載置されたカートリッジまたはディスクに対し光ピックアップによって情報の記録および／または再生を行うようにしたディスク装置が知られている（例えば、特許文献１参照）。前記トレイには３つの載置面が外側から内側に向かって順次低くなるよう段付状に形成されており、最も内側の載置面に直径８ｃｍの小径ディスクが、その外側の載置面に直径１２ｃｍの大径ディスクが、最も外側の載置面にカートリッジが搭載されるようになっている。このトレイの後端部にはモータを含む駆動機構が搭載されており、トレイは駆動機構によって引き出し位置と引き込み位置との間を往復移動するようになっている。本体装置の内部にはトレイの移動に伴って相対的に前後進するスライダが配設されており、このスライダにはカートリッジのシャッタを開閉可能なシャッタ開閉機構が取り付けられている。
【０００４】
このように概略構成されたディスク装置では、引き出し位置にあるトレイの各載置面に対応するカートリッジとディスク（小径ディスクまたは大径ディスク）を選択的に載置した後、駆動機構によってトレイを本体装置内の記録再生位置まで引き込むことにより、トレイ上のカートリッジまたはディスクに対して光ピックアップによって情報を記録および／または再生することができる。その際、トレイの引き込み動作に伴ってスライダが相対的に前進するが、トレイ上にカートリッジが載置されている場合、スライダに取り付けられたシャッタ開閉機構がトレイに対して相対的に前進することにより、トレイの引き込み途中でカートリッジのシャッタがシャッタ開閉機構によって開放動作される。また、トレイ上に小径または大径のディスクが載置されている場合、シャッタ開閉機構は最も外側の載置面上方をトレイに対して相対的に前進するため、シャッタ開閉機構とディスクが緩衝することはない。
【特許文献１】特開２００３−１０９２８２号公報（第４−５頁、図２）
【発明の開示】
【発明が解決しようとする課題】
【０００５】
前述した従来のディスク装置では、形状や厚みを異にするカートリッジとディスクを対応する載置面に位置決めした状態でトレイを移動することができるが、厚み寸法の大きなカートリッジ用載置面の内側にディスク用載置面が段落ち状に形成されているため、ディスクを対応する載置面に載置した状態でトレイを移動するとき、振動等によってディスクがトレイ上でバウンドしやすくなり、特に、車載用ディスク装置のように外部振動が予測される使用環境下においては、ディスクがトレイのディスク用載置面から外れて位置ずれしてしまうという問題がある。
【０００６】
本発明は、このような従来技術の実情に鑑みてなされたもので、その目的は、カートリッジとディスクを選択的に載置可能なトレイ方式を採用しつつ、搬送中のディスクをトレイ上に確実に位置決めすることのできるディスク装置を提供することにある。
【課題を解決するための手段】
【０００７】
本発明は、共通のトレイにカートリッジとディスクを選択的に載置して搬送するトレイ方式を採用しつつ、トレイにディスク載置領域に対して出入可能なディスク押さえ部材を設け、このディスク押さえ部材をトレイの移動に伴ってディスク載置領域の外側から内側へ移動させることとした。
【発明の効果】
【０００８】
本発明のディスク装置は、共通のトレイにカートリッジとディスクを選択的に載置して搬送するトレイ方式を採用しつつ、トレイにディスク載置領域に対して出入可能なディスク押さえ部材を設け、このディスク押さえ部材をトレイの移動に伴ってディスク載置領域の外側から内側へ移動させるようにしたので、ディスクを載置した状態でトレイが移動するとき、ディスク押さえ部材によってディスクを対応する載置面に確実に位置決めすることができる。
【発明を実施するための最良の形態】
【０００９】
本発明は、ディスク状記録媒体をケース内に収納したカートリッジとケースに収納されていないディスクとがトレイ上に選択的に載置可能であって、このトレイを引き出し位置と引き込み位置との間で前後方向に搬送することにより、該トレイが本体装置に対して出入可能となっているディスク装置において、前記トレイに前記ディスクが載置されるディスク載置領域に対して出入可能なディスク押さえ部材を設け、前記トレイが引き出し位置と引き込み位置との間を移動する搬送途中で、該トレイの移動に伴って前記ディスク押さえ部材を前記ディスク載置領域の外側から内側へ移動させるように構成した。
【００１０】
このように構成されたディスク装置では、ディスクを載置したトレイが引き出し位置と引き込み位置との間を移動するとき、このトレイの移動に伴ってディスク押さえ部材がディスク載置領域の外側から内側へ移動することにより、ディスクがトレイ上で位置ずれすることを防止できるため、共通のトレイにカートリッジとディスクを選択的に載置して搬送するトレイ方式を採用しつつ、搬送中のディスクをトレイ上に確実に位置決めすることができる。
【００１１】
上記の構成において、前記ディスク押さえ部材を前記トレイにスライド可能に支持しても良いが、前記ディスク押さえ部材を前記トレイに回動可能に支持し、このディスク押さえ部材の回動支点を前記カートリッジが載置されるカートリッジ載置領域の外側に設定すると、ディスク押さえ部材の支持構造を簡略化できて好ましい。
【００１２】
この場合において、前記ディスク押さえ部材を前記トレイに昇降可能に支持し、このディスク押さえ部材が前記ディスク載置領域の外側から内側へ回動するとき、該ディスク押さえ部材を下降動作させてディスクの上面に接近させ、または当接させるように構成すると、搬送中のディスクがディスク押さえ部材によってトレイの載置面から浮き上がるのを規制されるため、ディスクをトレイ上により確実に位置決めすることができて好ましい。その際、前記トレイに前記ディスク押さえ部材の回動方向に沿って傾斜するガイド面を形成し、前記ディスク押さえ部材が前記ガイド面上を摺動することにより、該ディスク押さえ部材が回動に伴って昇降動作するように構成すると、ディスク押さえ部材を簡単な構成で回動かつ昇降動作させることができる。
【００１３】
また、上記の構成において、前記ディスク押さえ部材を前記ディスク載置領域の内側方向へ弾性付勢すると共に、このディスク押さえ部材に前記トレイの上面に対して傾斜する規制部を形成し、前記トレイに前記カートリッジが載置されているとき、該トレイの搬送途中で前記規制部を前記カートリッジの後端上縁部に当接させるように構成すると、カートリッジを載置したトレイが引き出し位置と引き込み位置との間を移動するとき、ディスク押さえ部材の回動付勢力が規制部の傾斜面でカートリッジを下方へ押圧する力に変換されるため、カートリッジがトレイ上で位置ずれすることを確実に防止できる。
【００１４】
また、上記の構成において、前記トレイを移動可能に支持するトレイガイドと、このトレイガイドを前記本体装置に対して前後方向へ移動させる第１の駆動手段と、前記トレイガイドの移動に伴って前記トレイを該トレイガイドに対して相対的に移動させる第２の駆動手段とを備え、前記ディスク押さえ部材を前記トレイに回動可能に支持すると共に、前記トレイガイドに前記ディスク押さえ部材の回動を制御する制御部を設けると、トレイをトレイガイドによって移動可能に支持するという２重スライド機構を採用して装置全体の奥行き寸法を小型化することができると共に、移動量の長いトレイにも拘わらず制御部の長さが短くて済むため、ディスク押さえ部材の安定した回動動作を実現することができる。
【００１５】
この場合において、前記制御部が前後方向へ延びる直線部の両端に傾斜部を有するカム面であり、前記ディスク押さえ部材に形成した駆動部をばね部材の弾発力によって前記カム面に係合させると、ディスク押さえ部材の駆動機構を簡略化することができて好ましい。
【実施例】
【００１６】
実施例について図面を参照して説明すると、図１は実施例に係る車載用ディスク装置の平面図、図２は該車載用ディスク装置の内部機構を示す平面図、図３は該車載用ディスク装置に備えられる２重スライド機構のトレイ引き出し状態を示す裏面図、図４は該２重スライド機構のトレイ引き込み状態を示す裏面図、図５は該車載用ディスク装置に備えられるディスク押さえ部材の支持構造を示す分解斜視図、図６は該ディスク押さえ部材の取付け状態を示す要部斜視図、図７は図６のVII−VII線に沿う断面図、図８は該ディスク押さえ部材の動作説明図、図９は該車載用ディスク装置に備えられるシャッタ開閉機構を示す斜視図、図１０は該車載用ディスク装置のカートリッジ載置状態を示す斜視図である。
【００１７】
図１と図２に示すように、本実施例に係る車載用ディスク装置は金属板製のボトムシャーシ１とトップシャーシ２を備えており、これらボトムシャーシ１とトップシャーシ２はねじ止め等により一体化されて本体装置３を形成している（図１０参照）。ボトムシャーシ１の後端側にはピックアップシャーシ４が配設されており、このピックアップシャーシ４にはターンテーブル５や光ピックアップ６等が搭載されている。また、トップシャーシ２の後端側にはクランプアーム７が支持されており、このクランプアーム７の前端部にはターンテーブル５に対向するクランパ８が回転可能に支持されている。
【００１８】
本体装置３の内部には金属板製のトレイガイド９が配置されており、このトレイガイド９の上面に突設された複数のピン９ａがトップシャーシ２に形成された長孔２ａ内に摺動自在に挿入されるなどして、トレイガイド９は本体装置３の前後方向（矢印Ｘ１−Ｘ２方向）へ移動自在に支持されている。トレイガイド９には合成樹脂製のトレイ１０が矢印Ｘ１−Ｘ２方向へ移動可能に支持されており、これらトレイガイド９とトレイ１０は後述する２重スライド機構によって本体装置３に支持されている。このトレイ１０には中央から後端面にかけて切り欠き部１０ａが形成されると共に、切り欠き部１０ａを横切るように第１〜第３の載置面１０ｂ，１０ｃ，１０ｄが形成されている。これら載置面１０ｂ，１０ｃ，１０ｄは外側から内側に向かって順次低くなる段付形状となっており、各載置面１０ｂ，１０ｃ，１０ｄに対応する３種類のディスク状記録媒体がトレイ１０に搭載されるようになっている。すなわち、最も内側に位置する第１の載置面１０ｂに直径８ｃｍの小径ディスクが搭載され、その外側の第２の載置面１０ｃに直径１２ｃｍの大径ディスクＤが搭載され（図８参照）、最も外側に位置する第３の載置面１０ｄにはカートリッジＣが搭載されるようになっている（図１０参照）。
【００１９】
前述した２重スライド機構について説明すると、図３と図４に示すように、ボトムシャーシ１の前端側にはローディングモータ１２と減速ギア列１３が配設されており、このローディングモータ１２の回転軸に取り付けられたギア１２ａは減速ギア列１３の最初段のギア１３ａに噛合し、減速ギア列１３の最終段のギア１３ｂはトレイガイド９に固定された第１のラック１４に噛合している。これによりトレイガイド９はローディングモータ１２を駆動源として本体装置３の前後方向へ移動し、これらローディングモータ１２と減速ギア列１３および第１のラック１４によって第１の駆動手段が構成されている。また、トレイガイド９には伝達ギア列１５が配設されており、伝達ギア列１５の奥側のギア１５ａはボトムシャーシ１の内側面に固定された第２のラック１６に噛合し、伝達ギア列１５の手前側のギア１５ｂはトレイ１０の底面に固定された第３のラック１７に噛合している。これら伝達ギア列１５と第２および第３のラック１６，１７は第２の駆動手段を構成するものであり、前述した第１の駆動手段によってトレイガイド９が矢印Ｘ１−Ｘ２方向へ移動すると、その移動力が第２の駆動手段を介してトレイ１０に伝達される。
【００２０】
すなわち、図３に示すようにトレイ１０が引き出し位置にあるとき、減速ギア列１３の最終段のギア１３ｂは第１のラック１４の後端側に噛合しており、また、伝達ギア列１５の奥側のギア１５ａは第２のラック１６の前端側に噛合すると共に、伝達ギア列１５の手前側のギア１５ｂは第３のラック１７の後端側に噛合している。この状態でローディングモータ１２が同図の時計回り方向へ回転駆動すると、その回転が減速ギア列１３で減速されて最終段のギア１３ｂに伝達されるため、このギア１３ｂに噛合する第１のラック１４と共にトレイガイド９全体が矢印Ｘ２方向へ移動し始める。これに伴って伝達ギア列１５の奥側のギア１５ａがボトムシャーシ１に固定された第２のラック１６に噛合しながら回転し、その回転が伝達ギア列１５の手前側のギア１５ｂに伝達されるため、このギア１５ｂに噛合する第３のラック１７と共にトレイ１０全体が矢印Ｘ２方向へ移動する。このようにトレイガイド９の移動に伴ってトレイ１０がトレイガイド９に対して相対的に移動し、最終的には、図４に示すようにトレイ１０が引き込み位置まで移動する。この間、伝達ギア列１５の奥側のギア１５ａと手前側のギア１５ｂは等速で回転するため、トレイ１０はトレイガイド９がＸ２方向へ移動した分だけ同方向へ移動することになり、結果的にトレイ１０はトレイガイド９の２倍移動する。なお、トレイ１０を引き込み位置から引き出し位置へ移動する場合は上記と逆の動作が行われ、この場合もトレイ１０はトレイガイド９の２倍移動することになる。
【００２１】
図５に示すように、トレイ１０の後端側は第３の載置面１０ｄよりも外側に位置する非載置領域１０ｅとなっており、この非載置領域１０ｅ内に合成樹脂材からなるアーム状のディスク押さえ部材１９が配置されている。非載置領域１０ｅにはディスク押さえ部材１９の下面に対向するガイド面１０ｆが形成されており、このガイド面１０ｆは第３の載置面１０ｄに向かって下方へ傾斜している（図７参照）。また、非載置領域１０ｅの図示左側には支軸１８が立設されており、ディスク押さえ部材１９の一端側に形成された軸孔１９ａを支軸１８に挿入することにより、ディスク押さえ部材１９は支軸１８に回動可能かつ昇降可能に支持されている。支軸１８の上端は抜止め板２１と係止しており、この抜止め板２１をトレイ１０の後端側にねじ止め等で固定することにより、ディスク押さえ部材１９は支軸１８から脱落しないようになっている。また、支軸１８には捩りコイルばね２０が巻回されており、この捩りコイルばね２０の両端をトレイ１０とディスク押さえ部材１９に掛止することにより、ディスク押さえ部材１９は時計回り方向への回転力が付与されている。なお、捩りコイルばね２０は巻回方向（巻回部の軸方向）に圧縮された状態で支軸１８に挿入されており、この捩りコイルばね２０の巻回方向の反力によってディスク押さえ部材１９は下方への押圧力も付与されている。
【００２２】
ディスク押さえ部材１９の軸孔１９ａから後方へ延びる部分には駆動ピン１９ｂが形成されており、図６に示すように、この駆動ピン１９ｂはトレイガイド９の一側部上面に形成されたカム面２２と係合している。このカム面２２はディスク押さえ部材１９の回動を制御する制御部として機能するものであり、図２に示すように、カム面２２は、本体装置３の前後方向（矢印Ｘ１−Ｘ２方向）へ延びる直線部２２ａと、直線部２２ａの両端に連続する一対の傾斜部２２ｂ，２２ｃとを有している。また、ディスク押さえ部材１９の先端側には下方へ垂下するボス１９ｃが形成されており、トレイ１０の非載置領域１０ｅにはボス１９ｃの侵入を許容する凹部１０ｇが形成されている。
【００２３】
図９と図１０に示すように、トップシャーシ２の一側面には矢印Ｘ１−Ｘ２方向へ延びる規定孔２ｂが形成されており、この規定孔２ｂと対向するトレイガイド９の一側面には同じく矢印Ｘ１−Ｘ２方向へ延びるガイド孔９ｂが形成されている。トレイガイド９の一側面の内側には合成樹脂製のシャッタ開閉部材２３が配置されており、このシャッタ開閉部材２３の外側面には一対の突起２３ａ，２３ｂが形成されている。これら突起２３ａ，２３ｂはガイド孔９ｂを挿通して規定孔２ｂに達しており、両突起２３ａ，２３ｂはガイド孔９ｂと規定孔２ｂ内を移動可能である。後述するように、トレイ１０にカートリッジＣを載置して記録再生位置まで搬送するとき、シャッタ開閉部材２３はトレイ１０の引き込み動作に伴ってカートリッジＣのシャッタ板（図示せず）を自動的に開放するようになっている。
【００２４】
このように構成された車載用ディスク装置において、図示せぬイジェクト釦を操作すると、図１に示すように、トレイ１０が本体装置３の前方の引き出し位置まで突出するため、引き出し位置にあるトレイ１０の各載置面１０ｂ，１０ｃ，１０ｄに対応するディスクまたはカートリッジを選択的に載置することができる。この場合、トレイガイド９は本体装置３に対して最も前方位置まで移動しており、ディスク押さえ部材１９の駆動ピン１９ｂがカム面２２の前端部と係合しているため（図２と図６参照）、ディスク押さえ部材１９はトレイ１０の第３の載置面１０ｄよりも後端側の非載置領域１０ｅ内に位置して、ボス１９ｃは凹部１０ｇ内に収納される。また、ディスク押さえ部材１９はガイド面１０ｆを乗り上げて上昇位置に保持されているため、ボス１９ｃの下端は第３の載置面１０ｄに対して若干浮いた状態となっている。このように、トレイ１０が引き出し位置にあるときに、ディスク押さえ部材１９は各載置面１０ｂ，１０ｃ，１０ｄから外れた位置に退避するため、各載置面１０ｂ，１０ｃ，１０ｄにディスクやカートリッジを容易に載置することができる。なお、トレイ１０が引き出し位置にあるとき、このトレイ１０の後端側は前後方向に所定の長さで延びるトレイガイド９に支持されているため、トレイ１０が本体装置３から全体的に突出しても、トレイガイド９を介してトレイ１０は本体装置３に安定して支持された状態となっている。
【００２５】
かかるトレイ１０の引き出し位置で例えば第２の載置面１０ｃに大径ディスクＤを載置し、２重スライド機構の駆動源であるローディングモータ１２が回転駆動されると、前述したように、第１の駆動手段の減速ギア列１３と第１のラック１４によってトレイガイド９が本体装置３の後方（矢印Ｘ２方向）へ移動し始め、それに伴って第２の駆動手段の伝達ギア列１５と第２および第３のラック１６，１７によりトレイ１０も矢印Ｘ２方向へ移動し始める。この間、本体装置３に対してトレイ１０はトレイガイド９の２倍の距離で矢印Ｘ２方向へ移動するため、捩りコイルばね２０の回動付勢力によって駆動ピン１９ｂとカム面２２の係合箇所が傾斜部２２ｂへ移行し、ディスク押さえ部材１９は支軸１８を中心として時計回り方向（図２の矢印Ａ方向）へ回転する。そして、図８に示すように、駆動ピン１９ｂがカム面２２の傾斜部２２ｂを経て直線部２２ａに係合すると、ディスク押さえ部材１９はガイド面１０ｆに沿って下降しながら最も内側に位置する第１の載置面１０ｂ上まで回転するため、ディスク押さえ部材１９のボス１９ｃが大径ディスクＤの上面（レーベル面）に当接し、または大径ディスクＤの厚みより小さな僅かな隙間を介して対向する。これにより大径ディスクＤのトレイ１０の第２の載置面１０ｃからの浮き上がりが規制されるため、トレイ１０の引き込み動作中に大径ディスクＤが振動等で位置ずれすることはなく、大径ディスクＤは対応する第２の載置面１０ｃに位置決めされた状態で搬送される。
【００２６】
このように２重スライド機構によってトレイ１０が引き込み位置の手前まで移動すると、駆動ピン１９ｂとカム面２２の係合箇所が直線部２２ａから傾斜部２２ｃへ移行するため、ディスク押さえ部材１９が捩りコイルばね２０の付勢力に抗して図８の反時計回り方向（矢印Ｂ方向）へ回転する。その結果、ディスク押さえ部材１９が第１の載置面１０ｂから第２の載置面１０ｃを経て第３の載置面１０ｄの外側へ移動するため、ディスク押さえ部材１９による大径ディスクＤの位置規制が解除される。そして、トレイ１０が本体装置３の内部に完全に没入した引き込み位置（図４参照）まで搬送されると、駆動ピン１９ｂとカム面２２の係合箇所は傾斜部２２ｃの後端部まで移行するため、ディスク押さえ部材１９は再び非載置領域１０ｅ内の上昇位置に保持された状態となり、この状態でトレイ１０上に載置された大径ディスクＤは記録再生位置に保持される。詳細な機構説明は省略するが、この記録再生位置において、ピックアップシャーシ４によってターンテーブル５を上昇動作させることにより、大径ディスクＤの中心孔の周囲がターンテーブル５とクランパ８との間に挟持される。そして、この状態でターンテーブル５によって大径ディスクＤを回転駆動すると共に、光ピックアップ６を大径ディスクＤの半径方向へ移送することにより、大径ディスクＤに情報を記録および／または再生することができる。このとき、ディスク押さえ部材１９はトレイ１０の非載置領域１０ｅ上に位置しているため、このディスク押さえ部材１９によって大径ディスクＤの回転が妨げられることはない。
【００２７】
また、再生等が完了した大径ディスクＤを本体装置３の外部へ排出する場合は、ローディングモータ１２が逆方向へ回転して上記と逆のトレイ１０の引き出し動作が行われ、このトレイ１０の引き出し動作に伴って駆動ピン１９ｂとカム面２２の係合箇所が後端側の傾斜部２２ｃから直線部２２ａを経て前端側の傾斜部２２ｂへ移行するため、排出途中における大径ディスクＤが振動等で位置ずれすることはなく、大径ディスクＤは対応する第２の載置面１０ｃに位置決めされた状態で搬送される。
【００２８】
なお、トレイ１０によって図示せぬ小径ディスクを搬送する際もディスク押さえ部材１９は大径ディスクＤの場合と同じように動作するため、トレイ１０の引き込みまたは引き出し動作中で小径ディスクが振動等で位置ずれすることはなく、小径ディスクはトレイ１０の対応する第１の載置面１０ｂに位置決めされた状態で搬送される。
【００２９】
一方、小径ディスクや大径ディスク以外のカートリッジを使用する場合は、図１０に示すように、本体装置３の前方へ引き出されたトレイ１０の第３の載置面１０ｄにカートリッジＣを載置した後、前述した２重スライド機構によってトレイ１１の引き込み動作を行えば良い。この場合もディスク押さえ部材１９の駆動ピン１９ｂとトレイガイド９に形成されたカム面２２との相対位置はディスク使用時と同様に変化するが、ディスク押さえ部材１９はカートリッジＣの後端面に当接して回転規制されるため、カートリッジＣの搬送時にディスク押さえ部材１９は非載置領域１０ｅ内に保持されたままで回転しない。ただし、カートリッジＣはディスクに比べて厚み寸法が十分に大きいため、搬送中のカートリッジＣはトレイ１０の第３の載置面１０ｄとトップシャーシ２との間に位置規制されて位置ずれすることはない。
【００３０】
また、かかるカートリッジＣの引き込み動作中に、トレイガイド９に支持されたシャッタ開閉部材２３によってカートリッジＣの図示せぬシャッタ板を開放動作することができる。すなわち、前述した２重スライド機構によってトレイガイド９とトレイ１０が本体装置３の後方（矢印Ｘ２方向）へ移動するとき、これらトレイガイド９とトレイ１０の移動量の差がシャッタ開閉部材２３とカートリッジＣの動きの差となるため、まずシャッタ開閉部材２３の前端側がカートリッジＣに押されることにより、シャッタ開閉部材２３の両突起２３ａ，２３ｂがトップシャーシ２の規定孔２ｂ内を矢印Ｘ２方向へ移動し始める。そして、奥側の突起２３ｂが規定孔２ｂの後端面に当接すると、シャッタ開閉部材２３はそれ以上矢印Ｘ２方向へ動かなくなるため、この時点からトレイガイド９とトレイ１０およびカートリッジＣのみが矢印Ｘ２方向へ移動し、トレイ１０が引き込み位置まで搬送される間にシャッタ開閉部材２３がカートリッジＣに入り込み、カートリッジＣの図示せぬシャッタ板が自動的に開放される。
【００３１】
このようにしてトレイ１０上に載置されたカートリッジＣは記録再生位置まで搬送され、この記録再生位置において、ピックアップシャーシ４によってターンテーブル５を上昇動作させることにより、カートリッジＣ内の図示せぬ光ディスクがターンテーブル５に吸着される。そして、この状態でターンテーブル５によってカートリッジＣ内の光ディスクを回転駆動すると共に、光ピックアップ６を光ディスクの半径方向へ移送することにより、光ディスクに情報を記録および／または再生することができる。また、再生等が完了したカートリッジＣを本体装置３の外部へ排出する場合は、ローディングモータ１２が逆方向へ回転して上記と逆のトレイ１０の引き出し動作が行われ、このトレイ１０の引き出し動作に伴ってシャッタ開閉部材２３がカートリッジＣのシャッタ板を自動的に閉塞動作する。
【００３２】
図１１はディスク押さえ部材１９の変形例を示す車載用ディスク装置の要部斜視図であり、このディスク押さえ部材１９にはカートリッジＣの後端面に当接可能な規制部１９ｄが形成されている。この規制部１９ｄはディスク押さえ部材１９の上端縁中央から第３の載置面１０ｄの上方へ向かって傾斜しており、前述したようにディスク押さえ部材１９が搬送中のカートリッジＣの後端面に当接したとき、規制部１９ｄの傾斜面がカートリッジＣの後端上縁部に当接するようになっている。これにより捩りコイルばね２０からディスク押さえ部材１９に作用する回動付勢力が規制部１９ｄの傾斜面で前方および下方への押圧力に変換されるため、カートリッジＣの後端上縁部がディスク押さえ部材１９の規制部１９ｄによって前方および下方へ押圧され、搬送中のカートリッジＣがトレイ１０の第３の載置面１０ｄから位置ずれすることを確実に防止できる。
【００３３】
なお、上記実施例では、ディスク押さえ部材１９を回転方向とディスク上面に接近する下降方向に付勢する弾性付与部材として共通の捩りコイルばね２０を使用しているが、別々のばね部材を用いてディスク押さえ部材１９を回転方向と下降方向に付勢することも可能である。
【図面の簡単な説明】
【００３４】
【図１】実施例に係る車載用ディスク装置の平面図である。
【図２】該車載用ディスク装置の内部機構を示す平面図である。
【図３】該車載用ディスク装置に備えられる２重スライド機構のトレイ引き出し状態を示す裏面図である。
【図４】該２重スライド機構のトレイ引き込み状態を示す裏面図である。
【図５】該車載用ディスク装置に備えられるディスク押さえ部材の支持構造を示す分解斜視図である。
【図６】該ディスク押さえ部材の取付け状態を示す要部斜視図である。
【図７】図６のVII−VII線に沿う断面図である。
【図８】該ディスク押さえ部材の動作説明図である。
【図９】該車載用ディスク装置に備えられるシャッタ開閉機構を示す斜視図である。
【図１０】該車載用ディスク装置のカートリッジ載置状態を示す斜視図である。
【図１１】ディスク押さえ部材の変形例を示す車載用ディスク装置の要部斜視図である。
【符号の説明】
【００３５】
１  ボトムシャーシ
２  トップシャーシ
２ｂ  規定孔
３  本体装置
９  トレイガイド
９ｂ  ガイド孔
１０  トレイ
１０ａ  切り欠き部
１０ｂ  第１の載置面
１０ｃ  第２の載置面
１０ｄ  第３の載置面
１０ｅ  非載置領域
１０ｆ  ガイド面
１０ｅ  凹部
１１  カートリッジ
１２  ローディングモータ
１３  減速ギア列
１４  第１のラック
１５  伝達ギア列
１６  第２のラック
１７  第３のラック
１８  支軸
１９  ディスク押さえ部材
１９ａ  軸孔
１９ｂ  駆動ピン
１９ｃ  ボス
２０  捩りコイルばね
２１  抜止め板
２２  カム面
２２ａ  直線部
２２ｂ，２２ｃ  傾斜部
２３  シャッタ開閉部材
Ｃ  カートリッジ
Ｄ  ディスク
【図１】
2006318566.tif 000003
【図２】
2006318566.tif 000004
【図３】
2006318566.tif 000005
【図４】
2006318566.tif 000006
【図５】
2006318566.tif 000007
【図６】
2006318566.tif 000008
【図７】
2006318566.tif 000009
【図８】
2006318566.tif 000010
【図９】
2006318566.tif 000011
【図１０】
2006318566.tif 000012
【図１１】
2006318566.tif 000013